(57)【要約】【課題】遠隔監視制御装置の制御電圧が出力されていることを確認する作業の作業性を向上させることができる。【解決手段】電線の線路を遮断するときに開き前記電線の線路を接続するときに閉じる開閉器を開くための第１制御電圧を出力する制御装置の第１端子と、前記開閉器を閉じるための第２制御電圧を出力する前記制御装置の第２端子と、から出力される信号を確認するときに、前記第１端子及び前記第２端子に装着されるアダプタと、前記開閉器を開く指示に応じて前記第１端子から前記第１制御電圧が出力されるか否かと、前記開閉器を閉じる指示に応じて前記第２端子から前記第２制御電圧が出力されるか否かと、を前記アダプタを通して検出する検出装置と、前記検出装置による検出結果を表示する表示装置と、を備える。【選択図】  図１
2012191527.tif 000002
【特許請求の範囲】
【請求項１】
電線の線路を遮断するときに開き前記電線の線路を接続するときに閉じる開閉器を開くための第１制御電圧を出力する制御装置の第１端子と、前記開閉器を閉じるための第２制御電圧を出力する前記制御装置の第２端子と、から出力される信号を確認するときに、前記第１端子及び前記第２端子に装着されるアダプタと、
前記開閉器を開く指示に応じて前記第１端子から前記第１制御電圧が出力されるか否かと、前記開閉器を閉じる指示に応じて前記第２端子から前記第２制御電圧が出力されるか否かと、を前記アダプタを通して検出する検出装置と、
前記検出装置による検出結果を表示する表示装置と、
を備えたことを特徴とする制御電圧確認装置。
【請求項２】
前記制御装置が制御する前記開閉器の数は複数であり、
前記制御装置は、前記複数の開閉器に対応する数の前記第１端子及び前記第２端子を有し、
前記アダプタは、前記複数の開閉器に対応する数の前記第１端子及び前記第２端子に装着される形状を呈し、
前記検出装置は、前記複数の開閉器の中で確認の対象となっている開閉器の前記第１端子及び前記第２端子の出力電圧を検出し、
前記表示装置は、前記検出装置の検出結果を表示する
ことを特徴とする請求項１に記載の制御電圧確認装置。
【請求項３】
前記表示装置は、前記複数の開閉器の前記第１端子及び前記第２端子に夫々対応する数の発光素子を有し、前記複数の開閉器の中で確認の対象となっている開閉器の前記第１端子及び前記第２端子に対応する前記発光素子を、前記検出装置の検出結果に応じて発光させる
ことを特徴とする請求項２に記載の制御電圧確認装置。
【請求項４】
前記検出装置の検出結果を音声で出力する音声装置
を備えたことを特徴とする請求項１に記載の制御電圧確認装置。
【発明の詳細な説明】
【技術分野】
【０００１】
本発明は、制御電圧確認装置に関する。
【背景技術】
【０００２】
一般に、配電線の線路を遮断するときに開き、配電線の線路を接続するときに閉じる開閉器を開閉するための装置として、例えば特許文献１の遠隔監視制御装置が知られている。
【０００３】
遠隔監視制御装置は、遠隔監視制御装置を制御する親局装置から受信した制御命令に基づいて、開閉器を開閉していた。例えば、開閉器を開くための制御命令を親局装置から受信した場合、遠隔監視制御装置は、開閉器を開くための制御電圧を第１出力端子から出力していた。一方、例えば、開閉器を閉じるための制御命令を親局装置から受信した場合、遠隔監視制御装置は、開閉器を閉じるための制御電圧を第２出力端子から出力していた。
【先行技術文献】
【特許文献】
【０００４】
【特許文献１】特開２０１０−１９７５６号公報
【発明の概要】
【発明が解決しようとする課題】
【０００５】
特許文献１に開示される遠隔監視制御装置では、制御電圧が出力されていることを確認するとき、遠隔監視制御装置の出力端子に現れる電圧を検出するために、例えば電圧計を出力端子に接続する必要があった。しかしながら、電圧計を出力端子に接続するには人手に頼らざるを得ず、作業者による接続作業が煩雑になる虞があった。特に、複数の開閉器を開閉するために遠隔監視制御装置の出力端子が複数設けられている場合、出力端子毎に電圧計を接続する必要があるために、当該作業が煩雑となる問題は顕著となっていた。
【課題を解決するための手段】
【０００６】
前述した課題を解決する主たる本発明は、電線の線路を遮断するときに開き前記電線の線路を接続するときに閉じる開閉器を開くための第１制御電圧を出力する制御装置の第１端子と、前記開閉器を閉じるための第２制御電圧を出力する前記制御装置の第２端子と、から出力される信号を確認するときに、前記第１端子及び前記第２端子に装着されるアダプタと、前記開閉器を開く指示に応じて前記第１端子から前記第１制御電圧が出力されるか否かと、前記開閉器を閉じる指示に応じて前記第２端子から前記第２制御電圧が出力されるか否かと、を前記アダプタを通して検出する検出装置と、前記検出装置による検出結果を表示する表示装置と、を備えたことを特徴とする制御電圧確認装置である。
【０００７】
本発明の他の特徴については、添付図面及び本明細書の記載により明らかとなる。
【発明の効果】
【０００８】
本発明によれば、遠隔監視制御装置の制御電圧が出力されていることを確認する作業の作業性を向上させることができる。
【図面の簡単な説明】
【０００９】
【図１】本発明の第１実施形態における制御電圧確認装置を示す斜視図である。
【図２】本発明の第１実施形態における電力設備を示すブロック図である。
【図３】本発明の第１実施形態における遠隔監視制御装置を示す斜視図である。
【図４】本発明の第１実施形態における端子台に設けられた端子群を説明するための図である。
【図５】本発明の第１実施形態における遠隔監視制御装置の制御確認試験を行うときの接続を示すブロック図である。
【図６】本発明の第１実施形態における親局模擬装置の表示パネルの表示の一例を示す図である。
【図７】本発明の第１実施形態におけるアダプタが取り付けられた状態の遠隔監視制御装置を示す斜視図である。
【図８】本発明の第１実施形態における制御電圧確認装置の機能を示すブロック図である。
【図９】本発明の第１実施形態における制御電圧確認装置の動作を示すフローチャートである。
【発明を実施するための形態】
【００１０】
本明細書および添付図面の記載により、少なくとも以下の事項が明らかとなる。
【００１１】
[第１実施形態]
＝＝＝電力設備＝＝＝
図２は、本実施形態における電力設備を示すブロック図である。  
電力設備７００は、開閉器１ａ、遠隔監視制御装置２、モデム３、４ａ、親局装置５ａを含んで構成される。
【００１２】
親局装置５ａとモデム４ａは、電力機器を集中的に制御管理する例えば制御所７０１に設けられる。遠隔監視制御装置２とモデム３は、例えば変電所７０２に設けられる。開閉器１ａは、例えば配電線（不図示）における、開閉器１ａが設けられた場所を開閉する電力機器である。尚、開閉器１ａの詳細については後述する。親局装置５ａは、開閉器１ａを開閉させるための制御命令を遠隔監視制御装置２に送信して、遠隔監視制御装置２を制御する装置である。遠隔監視制御装置２は、親局装置５ａから送信された制御命令に基づいて、例えば開閉器１ａを制御する装置である。遠隔監視制御装置２は、親局装置５ａから送信された制御命令に基づいて、例えば開閉器１ａを開閉させるための制御電圧を出力する。尚、遠隔監視制御装置２の詳細については後述する。モデム３、４ａは、親局装置５ａと遠隔監視制御装置２との間の通信を中継するモデムである。
【００１３】
親局装置５ａは、例えば通信線Ｌ３１によってモデム４ａに接続される。モデム４ａは、例えば通信ネットワークＮを介してモデム３に接続される。遠隔監視制御装置２は、例えば通信線Ｌ１によってモデム３に接続される。開閉器１ａは、例えば制御線１１ａによって遠隔監視制御装置２に接続される。尚、制御線１１ａの詳細については後述する。
【００１４】
＝＝＝遠隔監視制御装置＝＝＝
以下、図２、図３を参照して、本実施形態における遠隔監視制御装置について説明する。
【００１５】
図３は、本実施形態における遠隔監視制御装置を示す斜視図である。尚、説明の便宜上、遠隔監視制御装置２の正面には、例えば２つの端子台２２、２３が設けられているものとする。
【００１６】
遠隔監視制御装置２は、親局装置５ａから送信された制御命令に基づいて、例えば開閉器１ａを制御する装置である。遠隔監視制御装置２は、本体２１、端子台２２、２３を含んで構成される。
【００１７】
本体２１は、例えば矩形柱形状とする。本体２１の正面には、例えば２つの端子台２２、２３が設けられる。本体２１の裏面には、通信線Ｌ１の一端が接続される。
【００１８】
端子台２２には、親局装置５ａから送信された制御命令に基づいて、例えば開閉器１ａを制御するための制御電圧を出力する複数の端子が設けられる。尚、説明の便宜上、複数の端子は、例えば２列に並んだ状態で端子台２２に設けられているものとする。端子台２２の複数の端子のうち、一方の列に設けられた複数の端子を端子群２２ａ、他方の列に設けられた複数の端子を端子群２２ｂとする。端子群２２ａ、２２ｂの詳細については後述する。端子台２３には、端子群２３ａ、２３ｂが設けられる。端子台２３の構成は、端子台２２の構成と同様であるので、その説明は省略する。
【００１９】
＝＝＝端子、開閉器１ａ＝＝＝
以下、図２乃至図４を参照して、本実施形態における遠隔監視制御装置の端子台に設けられた端子と開閉器１ａについて説明する。
【００２０】
図４は、本実施形態における端子台２２に設けられた端子群２２ａを説明するための図である。尚、端子群２２ａの構成は、端子群２２ｂ、２３ａ、２３ｂの構成と同様であるので、端子群２２ａの構成について説明し、端子群２２ｂ、２３ａ、２３ｂの構成の説明は省略するものとする。又、端子Ｔ１、Ｔ２を第１の組合せの端子、端子Ｔ３、Ｔ４を第２の組合せの端子、端子Ｔ５、Ｔ６を第３の組合せの端子、端子Ｔ７、Ｔ８を第４の組合せの端子、端子Ｔ９、Ｔ１０を第５の組合せの端子、端子Ｔ１１、Ｔ１２を第６の組合せの端子、端子Ｔ１３、Ｔ１４を第７の組合せの端子、端子Ｔ１５、Ｔ１６を第８の組合せの端子とする。
【００２１】
開閉器１ａには、開制御端子（不図示）と、閉制御端子（不図示）とが設けられているものとする。例えば開閉器１ａの接点を開くための制御電圧（第１制御電圧）が開制御端子に印加された場合、開閉器１ａは、配電線における開閉器１ａが設けられた場所を開く。例えば開閉器１ａの接点を閉じるための制御電圧（第２制御電圧）が閉制御端子に印加された場合、開閉器１ａは、配電線における開閉器１ａが設けられた場所を閉じる。尚、開閉器１ａの接点を開くための制御電圧と、開閉器１ａの接点を閉じるための制御電圧は、例えば４５Ｖ以上の電圧とする。
【００２２】
端子Ｔ１には、例えば制御線１１ａによって開閉器１ａの例えば開制御端子が接続される。端子Ｔ２には、例えば制御線１１ａによって開閉器１ａの例えば閉制御端子が接続される。尚、制御線１１ａは、端子Ｔ１と開制御端子との間、端子Ｔ２と閉制御端子との間に、夫々接続される例えば２本の導電線であるが、説明の便宜上１本の実線で示されている。第２の組合せの端子乃至第８の組合せの端子には開閉器１ａとは別の開閉器（不図示）の制御端子が夫々接続される。尚、開閉器１ａとは別の開閉器は、開閉器１ａと同様な開閉動作を行うものとする。第２の組合せの端子乃至第８の組合せの端子の構成は、第１の組合せの端子の構成と同様であるので、その説明は省略する。
【００２３】
例えば開閉器１ａの接点を開くための制御命令を、遠隔監視制御装置２が親局装置５ａから受信した場合、遠隔監視制御装置２は、例えば端子Ｔ１から開閉器１ａの接点を開くための制御電圧を出力する。開閉器１ａは、配電線における開閉器１ａが設けられた場所を開く。例えば開閉器１ａを閉じるための制御命令を、遠隔監視制御装置２が親局装置５ａから受信した場合、遠隔監視制御装置２は、例えば端子Ｔ２から開閉器１ａを閉じるための制御電圧を出力する。開閉器１ａは、配電線における開閉器１ａが設けられた場所を閉じる。
【００２４】
端子Ｔ１７は、例えば遠隔監視制御装置２の制御確認試験を行うときに用いられる端子である。尚、制御確認試験、端子Ｔ１７の詳細については後述する。
【００２５】
＝＝＝制御確認試験＝＝＝
以下、図５を参照して、本実施形態における遠隔監視制御装置の制御確認試験について説明する。
【００２６】
図５は、本実施形態における遠隔監視制御装置の制御確認試験を行うときの接続を示すブロック図である。尚、図２に示された構成と同じ構成については同じ番号を付すのみで、その説明は省略する。
【００２７】
制御確認試験は、遠隔監視制御装置２の制御動作を確認する試験である。制御確認試験では、遠隔監視制御装置２が制御命令を受信したとき、制御電圧が遠隔監視制御装置２の何れの端子から出力されるかを確認する。制御確認試験では、例えば、制御電圧確認装置１、遠隔監視制御装置２、モデム３、４、親局模擬装置５が用いられる。制御電圧確認装置１、遠隔監視制御装置２、モデム３、４、親局模擬装置５は、例えば変電所６０１に設けられる。親局模擬装置５は、遠隔監視制御装置２の制御確認試験を行うとき、親局装置５ａの代わりに遠隔監視制御装置２に制御命令を送信する装置である。尚、親局模擬装置５の詳細については後述する。制御電圧確認装置１は、遠隔監視制御装置２から出力された制御電圧を確認するための装置である。制御電圧確認装置１は、遠隔監視制御装置２に接続された開閉器１ａの代わりに遠隔監視制御装置２に接続される。尚、制御電圧確認装置１の詳細については後述する。モデム４は、モデム３と共に、親局模擬装置５と遠隔監視制御装置２との間の通信を中継するモデムである。
【００２８】
親局模擬装置５は、例えば通信線Ｌ３によってモデム４に接続される。モデム４は、例えば通信線Ｌ２によってモデム３に接続される。制御電圧確認装置１は、例えば測定ケーブル１１によって遠隔監視制御装置２に接続される。尚、測定ケーブル１１の詳細については後述する。
【００２９】
＝＝＝親局模擬装置＝＝＝
以下、図３乃至図６を参照して、本実施形態における親局模擬装置について説明する。
【００３０】
図６は、本実施形態における親局模擬装置の表示パネルの表示の一例を示す図である。
【００３１】
親局模擬装置５は、遠隔監視制御装置２の制御確認試験を行うとき、親局装置５ａの代わりに遠隔監視制御装置２に制御命令を送信する装置である。
【００３２】
親局模擬装置５は、表示パネル５１、キーボード（不図示）、マウス（不図示）を有する、例えばパーソナルコンピュータである。親局模擬装置５には、例えば遠隔監視制御装置２を制御するためのプログラムがインストールされている。
【００３３】
表示パネル５１は、遠隔監視制御装置２を制御するための選択キー５０７等を表示するための、例えば液晶ディスプレイである。尚、遠隔監視制御装置２を制御するための選択キー５０７等の詳細については後述する。キーボードとマウスは、表示パネル５１に表示された選択キー５０７等を操作するための入力装置である。
【００３４】
遠隔監視制御装置２を制御するためのプログラムが実行された場合、例えば、選択制御表示欄５２、選択状態表示欄５０１、ビット表５０５、カーソル５０４、選択キー５０７、入キー５０８、切キー５０９、選択解除キー５１０が表示パネル５１に表示される。
【００３５】
ビット表５０５は、遠隔監視制御装置２の制御確認試験を行うときに、遠隔監視制御装置２の端子台２２、２３における複数の端子のうち、制御電圧を出力する端子を選択するための表である。ビット表５０５は、例えば４個のデータ列５０６ａ乃至５０６ｄを有する。データ列５０６ａ乃至５０６ｄは夫々、例えば８ビットのバイナリデータを示すデータ列である。カーソル５０４は、データ列５０６ａ乃至５０６ｄ夫々の例えば８ビットのうち、何れかのビットを選択するためのカーソルである。データ列５０６ａの各ビットは、例えば端子台２２の端子群２２ａのうち、何れの端子から制御電圧を出力するかを選択するためのビットである。データ列５０６ｂ、５０６ｃ、５０６ｄは夫々、例えば端子群２２ｂ、２３ａ、２３ｂ夫々のうち、何れの端子から制御電圧を出力するかを選択するためのデータ列である。
【００３６】
選択制御表示欄５２には、ビット表５０５のうちカーソル５０４で選択されたビットのワード情報５０２、位置情報５０３が表示される。ワード情報５０２は、データ列５０６ａ、５０６ｂ、５０６ｃ、５０６ｄのうち、何れのデータ列に属するビットがカーソル５０４によって選択されているかを示す。位置情報５０３は、カーソル５０４によって選択されているビットが、例えば最下位ビットから何ビット目かを示す。
【００３７】
選択キー５０７は、ビット表５０５のうち何れかのビットを、カーソル５０４によって選択するときに押下するキーである。選択キー５０７が押下された場合、端子Ｔ１７から選択電圧が出力される。尚、選択電圧は、例えば４５Ｖの一定電圧とする。
【００３８】
選択解除キー５１０は、ビット表５０５のうちカーソル５０４によって選択されたビットの選択を解除するときに押下するキーである。選択解除キー５１０が押下された場合、端子Ｔ１７から選択電圧が出力されない状態となる。
【００３９】
選択状態表示欄５０１には、選択キー５０７を押下してビット表５０５のビットがカーソル５０４によって選択されているか、選択解除キー５１０を押下してカーソル５０４によるビット表５０５のビットの選択が解除されているかが表示される。例えば、ビット表５０５のビットがカーソル５０４によって選択されている場合、選択状態表示欄５０１には、「選択中」と表示される。例えば、カーソル５０４によるビット表５０５のビットの選択が解除されている場合、選択状態表示欄５０１には、「選択解除」と表示される。
【００４０】
入キー５０８は、ビット表５０５のうちカーソル５０４によって選択されたビットに例えば１（論理値）を入力するときに押下するキーである。
【００４１】
切キー５０９は、ビット表５０５のうちカーソル５０４によって選択されたビットに例えば０（論理値）を入力するときに押下するキーである。
【００４２】
例えば、データ列５０６ａのうち何れかのビットが選択されて、０（論理値）が入力された場合、親局模擬装置５は、遠隔監視制御装置２が制御する開閉器の接点を開くための制御命令を送信する。例えば、データ列５０６ａのうち何れかのビットが選択されて、１（論理値）が入力された場合、親局模擬装置５は、遠隔監視制御装置２が制御する開閉器の接点を閉じるための制御命令を送信する。例えば、データ列５０６ａの最下位ビットを選択して０（論理値）を入力した場合、親局模擬装置５は、遠隔監視制御装置２の端子Ｔ１から制御信号を出力するための制御命令を送信する。例えば、データ列５０６ａの最下位ビットを選択して１（論理値）を入力した場合、親局模擬装置５は、遠隔監視制御装置２の端子Ｔ２から制御信号を出力するための制御命令を送信する。例えば、データ列５０６ａの最下位から２乃至８ビット目のビットを夫々選択して０（論理値）を入力した場合、親局模擬装置５は、遠隔監視制御装置２の端子Ｔ３、Ｔ５、Ｔ７、Ｔ９、Ｔ１１、Ｔ１３、Ｔ１５から夫々制御信号を出力するための制御命令を送信する。例えば、データ列５０６ａの最下位から２乃至８ビット目のビットを夫々選択して１（論理値）を入力した場合、親局模擬装置５は、遠隔監視制御装置２の端子Ｔ４、Ｔ６、Ｔ８、Ｔ１０、Ｔ１２、Ｔ１４、Ｔ１６から夫々制御信号を出力するための制御命令を送信する。尚、データ列５０６ｂ、５０６ｃ、５０６ｄのビットを夫々選択して、０（論理値）又は１（論理値）を入力したときに、端子群２２ｂ、２３ａ、２３ｂ夫々の端子のうち何れかの端子から制御電圧を出力する構成は、データ列５０６ａのビットを選択して、０（論理値）又は１（論理値）を入力したときに、端子群２２ａの端子のうち何れかの端子から制御電圧を出力する構成と同様であるので、その説明は省略する。
【００４３】
ここで、ビット表５０５に０（論理値）を入力したときに制御電圧を出力する端子Ｔ１、Ｔ３、Ｔ５、Ｔ７、Ｔ９、Ｔ１１、Ｔ１３、Ｔ１５を、オープン端子（第１端子）とする。ビット表５０５に１（論理値）を入力したときに制御電圧を出力する端子Ｔ２、Ｔ４、Ｔ６、Ｔ８、Ｔ１０、Ｔ１２、Ｔ１４、Ｔ１６を、クローズ端子（第２端子）とする。
【００４４】
＝＝＝制御電圧確認装置＝＝＝
以下、図１、図３乃至図７を参照して、本実施形態における制御電圧確認装置について説明する。
【００４５】
図１は、本実施形態における制御電圧確認装置を示す斜視図である。図７は、本実施形態におけるアダプタが取り付けられた状態の遠隔監視制御装置を示す斜視図である。
【００４６】
制御電圧確認装置１は、遠隔監視制御装置２から出力された制御電圧を確認するための装置である。制御電圧確認装置１は、本体１０、測定ケーブル１１、アダプタ１２を含んで構成される。
【００４７】
アダプタ１２は、遠隔監視制御装置２に設けられた端子台２２（２３）に着脱自在に装着されるアダプタである。アダプタ１２には、アダプタ１２が端子台２２（２３）に装着されたときに、端子台２２（２３）の複数の端子と夫々接続される複数の端子が設けられる。
【００４８】
測定ケーブル１１は、アダプタ１２と本体１０との間に接続されるケーブルである。測定ケーブル１１は、一端がアダプタ１２の複数の端子に夫々接続され、他端が本体１０に接続される例えば複数の導電線を相互に絶縁した状態で一まとめにしたケーブルである。
【００４９】
本体１０は、遠隔監視制御装置２から出力された制御電圧を検出して、その検出結果を出力する装置である。本体１０の前面には、例えば、ビット情報欄１３、ビットＬＥＤ１４、多重出力ＬＥＤ１０１、選択中ＬＥＤ１０２、表示復帰釦１０３、切ＬＥＤ１０４、入ＬＥＤ１０５、切信号表示欄１０６、入信号表示欄１０７、継続時間表示欄１０８、スピーカ１０９、電源スイッチ１１０が設けられる。尚、ビット情報欄１３、ビットＬＥＤ１４、多重出力ＬＥＤ１０１、選択中ＬＥＤ１０２、切ＬＥＤ１０４、入ＬＥＤ１０５、切信号表示欄１０６、入信号表示欄１０７、継続時間表示欄１０８、制御部１２４が、本実施形態の表示装置に相当する。スピーカ１０９、制御部１２４が、本実施形態の音声装置に相当する。ビットＬＥＤ１４、切ＬＥＤ１０４、入ＬＥＤ１０５が、本実施形態の発光素子に相当する。
【００５０】
電源スイッチ１１０は、制御電圧確認装置１に電源を投入したり、制御電圧確認装置１の電源を切断したりするためのスイッチである。例えば、電源スイッチ１１０のつまみ１１０ａを入の位置にスライドさせた場合、制御電圧確認装置１の電源が投入される。一方、例えば、電源スイッチ１１０のつまみ１１０ａを切の位置にスライドさせた場合、制御電圧確認装置１の電源が切断させる。
【００５１】
ビット情報欄１３には、アダプタ１２が装着された端子台の複数の端子のうち、何れの端子から制御電圧が出力されたかが示される。ビット情報欄１３は、チャネル表示欄１３１、ビット表示欄１３２、入切表示欄１３３を有する。チャネル表示欄１３１は、アダプタ１２が端子台２２、２３に装着されたとき、端子群２２ａ、２２ｂ、２３ａ、２３ｂのうち、何れの端子群の端子から制御電圧が出力されたかを示す。例えば、アダプタ１２が端子台２２に装着された際に、端子群２２ａのうち何れかの端子から制御電圧が出力された場合、チャネル表示欄１３１には例えば「１」が表示される。例えば、アダプタ１２が端子台２２に装着された際に、端子群２２ｂのうち何れかの端子から制御電圧が出力された場合、チャネル表示欄１３１には例えば「２」が表示される。例えば、アダプタ１２が端子台２３に装着された際に、端子群２３ａのうち何れかの端子から制御電圧が出力された場合、チャネル表示欄１３１には例えば「１」が表示される。例えば、アダプタ１２が端子台２３に装着された際に、端子群２３ｂのうち何れかの端子から制御電圧が出力された場合、チャネル表示欄１３１には例えば「２」が表示される。ビット表示欄１３２は、親局模擬装置５のビット表５０５のうち何れのビットに相当する端子から制御電圧が出力されたかを示す。例えば、第１の組合せの端子のうち何れかの端子から制御電圧が出力された場合、ビット表示欄１３２には例えば「０」が表示される。例えば、第２の組合せの端子のうち何れかの端子乃至第８の組合せの端子のうち何れかの端子から制御電圧が出力された場合、ビット表示欄１３２には、例えば「１」乃至「７」が表示される。入切表示欄１３３は、アダプタ１２が装着された端子台の複数の端子のうち、クローズ端子から制御電圧が出力されたか、オープン端子から制御電圧が出力されたかを示す。例えば、オープン端子から制御電圧が出力された場合、入切表示欄１３３には例えば「ＯＰ」が表示される。例えば、クローズ端子から制御電圧が出力された場合、入切表示欄１３３には例えば「ＣＬ」が表示される。
【００５２】
ビットＬＥＤ１４は、アダプタ１２が装着された端子台の複数の端子のうち、何れの端子から制御電圧が出力されるかに基づいて点灯するＬＥＤである。説明の便宜上、ビットＬＥＤ１４は、例えば端子群２２ａ（２３ａ）の第１乃至第８の組合せの端子に相当する８個のＬＥＤａ０乃至ａ７と、端子群２２ｂ（２３ｂ）の第１乃至第８の組合せの端子に相当する８個のＬＥＤｂ０乃至ｂ７を有するものとする。例えば、端子群２２ａの第１の組合せの端子の何れかの端子から制御電圧が出力された場合、ＬＥＤａ０が点灯する。端子群２２ａの第２の組合せの端子の何れかの端子乃至第８の組合せの端子の何れかの端子から制御電圧が出力された場合、ＬＥＤａ１乃至ＬＥＤａ７が点灯する。例えば、端子群２２ｂの第１の組合せの端子の何れかの端子乃至第８の組合せの端子の何れかの端子から制御電圧が出力された場合、ＬＥＤｂ１乃至ＬＥＤｂ７が点灯する。
【００５３】
多重出力ＬＥＤ１０１は、アダプタ１２が装着された端子台の複数の端子のうち、例えば２つ以上の端子から制御電圧が出力されたときに点灯するＬＥＤである。
【００５４】
選択中ＬＥＤ１０２は、親局模擬装置５の選択キー５０７が押下して、端子Ｔ１７から選択電圧が出力されたときに点灯するＬＥＤである。
【００５５】
切ＬＥＤ１０４は、オープン端子から制御電圧が出力されたときに点灯するＬＥＤである。
【００５６】
入ＬＥＤ１０５は、クローズ端子から制御電圧が出力されたときに点灯するＬＥＤである。
【００５７】
切信号表示欄１０６、入信号表示欄１０７には、測定部１２１（検出装置）で測定された制御電圧の電圧波形が表示される。尚、測定部１２１、電圧波形の詳細については後述する。切信号表示欄１０６、入信号表示欄１０７には、ビット表５０５のうち、制御電圧が出力されたビットに相当するオープン端子とクローズ端子の電圧波形が夫々表示される。
【００５８】
継続時間表示欄１０８は、制御電圧が継続して出力された出力継続時間が表示される。尚、継続時間表示欄１０８に表示される出力継続時間の詳細は後述する。
【００５９】
表示復帰釦１０３は、本体１０の全面に設けられたビット情報欄１３、ビットＬＥＤ１４、多重出力ＬＥＤ１０１、選択中ＬＥＤ１０２、切ＬＥＤ１０４、入ＬＥＤ１０５、切信号表示欄１０６、入信号表示欄１０７、継続時間表示欄１０８の表示をリセットするための釦である。表示復帰釦１０３が押下された場合、例えば、ビットＬＥＤ１４、多重出力ＬＥＤ１０１、選択中ＬＥＤ１０２、切ＬＥＤ１０４、入ＬＥＤ１０５は消灯し、ビット情報欄１３、切信号表示欄１０６、入信号表示欄１０７、継続時間表示欄１０８の表示は消去される。
【００６０】
スピーカ１０９は、アダプタ１２が装着された端子台の複数の端子のうち、何れの端子から制御電圧が出力されたかの音声を出力するスピーカである。尚、スピーカ１０９から出力される音声の詳細については後述する。
【００６１】
＝＝＝制御電圧確認装置の機能＝＝＝
以下、図１、図３乃至図８を参照して、本実施形態における制御電圧確認装置について説明する。  
図８は、本実施形態における制御電圧確認装置の機能を示すブロック図である。
【００６２】
制御電圧確認装置１は、遠隔監視制御装置２から出力された制御電圧を確認するための装置である。制御電圧確認装置１は、測定部１２１、記憶部１２２、判定部１２３、制御部１２４、計時部１２５を含んで構成される。
【００６３】
測定部１２１は、アダプタ１２が装着された端子台の複数の端子に夫々現れる複数の電圧を夫々測定する例えば電圧計である。測定部１２１は、測定ケーブル１１、アダプタ１２の複数の端子を通して、アダプタ１２が装着された端子台の複数の端子に接続される。
【００６４】
計時部１２５は、例えば現在の時刻を計時するタイマである。
【００６５】
記憶部１２２は、例えば第１の領域１２２ａ、第２の領域１２２ｂ、第３の領域１２２ｃ、第４の領域１２２ｄを有する。第１の領域１２２ａには、例えば制御電圧確認装置１を制御するためのプログラムが記憶される。第２の領域１２２ｂには、例えば測定部１２１で測定された、複数の端子に現れる電圧を示す測定結果情報が保存される。第３の領域１２２ｃには、例えば測定部１２１で測定が行われたときの時刻を示す測定時刻情報が記憶される。尚、測定時刻情報は、第２の領域１２２ｂに記憶された測定結果情報に対応付けられている。第４の領域１２２ｄには、制御電圧が出力されているか否かの確認を行うための制御閾値電圧と、選択電圧が出力されているか否かの確認を行うための選択閾値電圧とが記憶される。制御閾値電圧は、例えば開閉器１ａに印加して、開閉器１ａの開閉を制御できる電圧であり、例えば４５Ｖとする。選択閾値電圧は、選択キー５０７が押下されたときに端子Ｔ１７から出力される選択電圧よりも低いレベルの電圧であり、例えば２０Ｖとする。
【００６６】
判定部１２３は、第２の領域１２２ｂに記憶された測定結果情報と第４の領域１２２ｄに記憶された制御閾値電圧とに基づいて、アダプタ１２が装着された端子台の複数の端子に現れる電圧が、制御閾値電圧以上であるか否かを夫々判定する。判定部１２３は、第２の領域１２２ｂに記憶された測定結果情報と第４の領域１２２ｄに記憶された選択閾値電圧とに基づいて、端子Ｔ１７に現れる電圧が、選択閾値電圧以上であるか否かを判定する。
【００６７】
制御部１２４は、測定部１２１の測定動作を制御する。制御部１２４は、判定部１２３の判定結果に基づいて、制御電圧確認装置１を制御する。
【００６８】
例えば、端子１７に現れる電圧が選択閾値電圧以上であると判定された場合、制御部１２４は、選択中ＬＥＤ１０２を点灯させる。又、その場合、制御部１２４は、親局模擬装置５の選択キー５０７が押下されてビット表５０５のビットが選択中であることをスピーカ１０９から音声で出力させる。一方、端子Ｔ１７に現れる電圧が選択閾値電圧以上でないと判定された場合、制御部１２４は、選択中ＬＥＤ１０２を消灯させる。
【００６９】
例えば、端子Ｔ１乃至Ｔ１６のうち例えば一つの端子（例えば端子群２２ａの端子Ｔ５）に現れる電圧が、制御閾値電圧以上であると判定された場合、制御部１２４は、以下の制御を行う。制御部１２４は、チャネル表示欄１３１、ビット表示欄１３２、入切表示欄１３３に夫々、「１」、「２」、「ＯＰ」を表示させる。制御部１２４は、ＬＥＤａ２、切ＬＥＤ１０４を点灯させる。制御部１２４は、チャネル表示欄１３１、ビット表示欄１３２、入切表示欄１３３に夫々表示された情報をスピーカ１０９から音声で出力させる。制御部１２４は、端子群２２ａの端子Ｔ５に現れる電圧の電圧波形を切信号表示欄１０６に表示させる。制御部１２４は、端子群２２ａの端子Ｔ６に現れる電圧の電圧波形を入信号表示欄１０７に表示させる。尚、切信号表示欄１０６、入信号表示欄１０７に表示される電圧波形の詳細は後述する。制御部１２４は、出力継続時間を継続時間表示欄１０８に表示させる。尚、出力継続時間の詳細については後述する。
【００７０】
例えば、端子Ｔ１乃至Ｔ１６のうち例えば２つ以上の端子（例えば端子群２２ａの端子Ｔ５、Ｔ７）に現れる電圧が、夫々制御閾値電圧以上であると判定された場合、制御部１２４は、以下の制御を行う。制御部１２４は、多重出力ＬＥＤ１０１を点灯させる。制御部１２４は、ＬＥＤａ２、ａ３、切ＬＥＤ１０４、入ＬＥＤ１０５を点滅させる。
【００７１】
＝＝＝制御電圧確認装置の動作＝＝＝
以下、図１、図３乃至図９を参照して本実施形態における制御電圧確認装置の動作について説明する。  
図９は、本実施形態における制御電圧確認装置の動作を示すフローチャートである。
【００７２】
制御電圧確認装置１を用いて制御確認試験を行う場合、アダプタ１２が端子台２２又は端子台２３に装着される。アダプタ１２が端子台２２に装着されたときの制御電圧確認装置１の動作は、アダプタ１２が端子台２３に装着されたときの制御電圧確認装置１の動作と同様であるので、アダプタ１２が端子台２２に装着されたときの制御電圧確認装置１の動作について説明し、アダプタ１２が端子台２３に装着されたときの制御電圧確認装置１の動作の説明は省略する。
【００７３】
第１の領域１２２ａに記憶された制御電圧確認装置１を制御するためのプログラムの実行が開始され、制御部１２４が制御動作を開始したところから説明する。
【００７４】
制御部１２４は、端子群２２ａ、２２ｂの端子Ｔ１７に現れる電圧を夫々測定するように、測定部１２１を制御する（ステップＳ１）。測定部１２１は、端子群２２ａ、２２ｂの端子Ｔ１７に現れる電圧を夫々測定する。第２の領域１２２ｂには、測定部１２１で測定された端子群２２ａ、２２ｂの端子Ｔ１７に現れる電圧を示す測定結果情報が記憶される。又、第３の領域１２２ｃには、測定部１２１で測定が行われたときに計時部１２５で計時された時刻を示す測定時刻情報が記憶される。
【００７５】
制御部１２４は、親局模擬装置５のビット表５０５のうち何れかのビットがカーソル５０４によって選択されたか否かを判断する（ステップＳ２）。制御部１２４は、判定部１２３の判定結果に基づいて、以下の制御を行う。
【００７６】
例えば、親局模擬装置５の選択キー５０７が押下されていない場合、第２の領域１２２ｂには、端子群２２ａ、２２ｂの端子Ｔ１７に例えば略０Ｖが現れたことを示す測定結果情報が記憶されている。判定部１２３は、第２の領域１２２ｂに記憶された測定結果情報と第４の領域１２２ｄに記憶された選択閾値電圧とに基づいて、端子群２２ａ、２２ｂの端子Ｔ１７に現れる電圧は、選択閾値電圧以上でないと判定する（ステップＳ２のＮＯ）。制御部１２４は、上記ステップＳ１の制御を再度実行した後にステップＳ２の判断を再度実行する。
【００７７】
例えば、親局模擬装置５のデータ列５０６ａの最下位ビットから３ビット目のビットにカーソル５０４を合わせた状態で選択キー５０７が押下されている場合、第２の領域１２２ｂには、端子群２２ａの端子Ｔ１７に例えば４５Ｖが現れ、端子群２２ｂの端子Ｔ１７に例えば略０Ｖが現れたことを示す測定結果情報が記憶されている。判定部１２３は、第２の領域１２２ｂに記憶された測定結果情報と第４の領域１２２ｄに記憶された選択閾値電圧とに基づいて、端子群２２ａの端子Ｔ１７に現れる電圧は、選択閾値電圧以上であると判定する（ステップＳ２のＹＥＳ）。制御部１２４は、選択状態表示欄５０１に例えば「選択中」と表示させる。制御部１２４は、親局模擬装置５の選択キー５０７が押下されてビット表５０５のビットが選択中であることをスピーカ１０９から音声で出力させる（ステップＳ３）。制御部１２４は、端子群２２ａ、２２ｂの端子Ｔ１乃至Ｔ１６に現れる電圧を夫々測定するように、測定部１２１を制御する（ステップＳ４）。測定部１２１は、端子群２２ａ、２２ｂの端子Ｔ１乃至Ｔ１６に現れる電圧を夫々測定する。第２の領域１２２ｂには、測定部１２１で測定された端子群２２ａ、２２ｂの端子Ｔ１乃至Ｔ１６に現れる電圧を示す測定結果情報が記憶される。又、第３の領域１２２ｃには、測定部１２１で測定が行われたときに計時部１２５で計時された時刻を示す測定時刻情報が記憶される。
【００７８】
制御部１２４は、端子群２２ａ、２２ｂの端子Ｔ１乃至Ｔ１６に夫々現れる電圧が、制御閾値電圧以上であるか否かを判断する（ステップＳ５）。制御部１２４は、判定部１２３の判定結果に基づいて、以下の制御を行う。
【００７９】
例えば、親局模擬装置５の選択キー５０７が押下されてビット表５０５の何れかのビットが選択された状態で、入キー５０８、切キー５０９の何れのキーも押下されていない場合、第２の領域１２２ｂには、端子群２２ａ、２２ｂの端子Ｔ１乃至Ｔ１６に例えば略０Ｖが現れたことを示す測定結果情報が記憶されている。判定部１２３は、第２の領域１２２ｂに記憶された測定結果情報と第４の領域１２２ｄに記憶された制御閾値電圧とに基づいて、端子群２２ａ、２２ｂの端子Ｔ１乃至Ｔ１６に現れる電圧は、制御閾値電圧以上でないと判定する（ステップＳ５のＮＯ）。制御部１２４は、上記ステップＳ４の制御を再度実行した後にステップＳ５の判断を再度実行する。
【００８０】
例えば、データ列５０６ａの最下位ビットから３ビット目のビットが選択された状態で、切キー５０９が押下されている場合、第２の領域１２２ｂには、端子群２２ａの端子Ｔ５に例えば４５Ｖが現れ、その他の端子に例えば略０Ｖが現れたことを示す測定結果情が記憶されている。判定部１２３は、第２の領域１２２ｂに記憶された測定結果情報と第４の領域１２２ｄに記憶された制御閾値電圧とに基づいて、端子群２２ａの端子Ｔ５に現れる電圧は、制御閾値電圧以上であると判定する（ステップＳ５のＹＥＳ）。
【００８１】
制御部１２４は、制御閾値電圧以上の電圧が現れている端子は１つであるか否かを判断する（ステップＳ６）。
【００８２】
例えば端子群２２ａの端子Ｔ５、Ｔ６の２つの端子に現れる電圧が制御閾値電圧以上であると判定部１２３によって判定された場合（ステップＳ６のＮＯ）、制御部１２４は、以下の制御を行う。制御部１２４は、多重出力ＬＥＤ１０１を点灯させ、ＬＥＤａ２、切ＬＥＤ１０４、入ＬＥＤ１０５を点滅させた（ステップＳ１５）後、制御動作を終了する。
【００８３】
一方、例えば端子群２２ａの端子Ｔ５に現れる電圧のみが制御閾値電圧以上であると判定部１２３によって判定された場合（ステップＳ６のＹＥＳ）、制御部１２４は、以下の制御を行う。制御部１２４は、チャネル表示欄１３１、ビット表示欄１３２、入切表示欄１３３に夫々、「１」、「２」、「ＯＰ」を表示させる。又、制御部１２４は、ＬＥＤａ２、切ＬＥＤ１０４を点灯させる（ステップＳ７）。制御部１２４は、チャネル表示欄１３１、ビット表示欄１３２、入切表示欄１３３に夫々表示された情報をスピーカ１０９から音声で出力させる（ステップＳ８）。
【００８４】
制御部１２４は、端子群２２ａ、２２ｂの端子Ｔ１乃至Ｔ１６に現れる電圧を夫々測定するように、測定部１２１を制御する（ステップＳ９）。測定部１２１は、端子群２２ａ、２２ｂの端子Ｔ１乃至Ｔ１６に現れる電圧を夫々測定する。第２の領域１２２ｂには、測定部１２１で測定された端子群２２ａ、２２ｂの端子Ｔ１乃至Ｔ１６に現れる電圧を示す測定結果情報が記憶される。又、第３の領域１２２ｃには、測定部１２１で測定が行われたときに計時部１２５で計時された時刻を示す測定時刻情報が記憶される。
【００８５】
制御部１２４は、上記ステップＳ６において、端子に現れる電圧が制御閾値電圧以上であると判定された端子群２２ａの端子Ｔ５に現れる電圧が制御閾値電圧以上であるか否かを再度判断する（ステップＳ１０）。
【００８６】
例えば、端子群２２ａの端子Ｔ５に現れる電圧が制御閾値電圧以上であると判定部１２３に判定された場合（ステップＳ１０のＹＥＳ）、制御部１２４は、上記ステップＳ９の制御を再度実行した後にステップＳ１０の判断を再度実行する。
【００８７】
一方、例えば、端子群２２ａの端子Ｔ５に現れる電圧が制御閾値電圧以上でないと判定部１２３に判定された場合（ステップＳ１０のＮＯ）、制御部１２４は、以下の制御を行う。制御部１２４は、ＬＥＤａ２、切ＬＥＤ１０４を消灯させる（ステップＳ１１）。制御部１２４は、第２の領域１２２ｂに記憶された測定結果情報と第３の領域１２２ｃに記憶された測定時刻情報とに基づいて、上記ステップＳ６において、端子に現れる電圧が制御閾値電圧以上であると判定された端子群２２ａの端子Ｔ５から出力された制御電圧の出力継続時間を算出する。尚、例えば、制御部１２４は、出力継続時間として、端子群２２ａの端子Ｔ５に現れる電圧が制御閾値電圧以上と判定されてから、端子群２２ａの端子Ｔ５に現れる電圧が制御閾値電圧以上でないと判定されるまでの時間を、算出するものとする。制御部１２４は、出力継続時間を継続時間表示欄１０８に表示させる。制御部１２４は、第２の領域１２２ｂに記憶された測定結果情報と第３の領域１２２ｃに記憶された測定時刻情報とに基づいて、上記ステップＳ６において、端子に現れる電圧が制御閾値電圧以上であると判定された端子群２２ａの端子Ｔ５に現れる電圧の電圧波形を、切信号表示欄１０６に表示させる。尚、切信号表示欄１０６に表示される電圧波形は、例えば、端子群２２ａの端子Ｔ５に現れる電圧が制御閾値電圧以上と判定される前から、端子群２２ａの端子Ｔ５に現れる電圧が制御閾値電圧以上でないと判定された後までの、端子群２２ａの端子Ｔ５に現れる電圧を示す電圧波形とする。制御部１２４は、第２の領域１２２ｂに記憶された測定結果情報と第３の領域１２２ｃに記憶された測定時刻情報とに基づいて、親局模擬装置５のビット表５０５において選択されているビットに現在入力されている例えば０（論理値）とは異なる１（論理値）を入力したときに制御電圧が出力される端子群２２ａの端子Ｔ６に現れる電圧の電圧波形を、入信号表示欄１０７に表示させる（ステップＳ１２）。尚、入信号表示欄１０７には、切信号表示欄１０６に表示される電圧波形と同様な時間軸の電圧波形が表示されるものとする。例えば、端子群２２ａの端子Ｔ５に現れる電圧が制御閾値電圧以上と判定さる前から、端子群２２ａの端子Ｔ５に現れる電圧が制御閾値電圧以上でないと判定された後までの、端子群２２ａの端子Ｔ６に現れる電圧を示す電圧波形が入信号表示欄１０７に表示される。
【００８８】
制御部１２４は、端子群２２ａ、２２ｂの端子Ｔ１７に現れる電圧を夫々測定するように、測定部１２１を制御する（ステップＳ１３）。測定部１２１は、端子群２２ａ、２２ｂの端子Ｔ１７に現れる電圧を夫々測定する。第２の領域１２２ｂには、測定部１２１で測定された端子群２２ａ、２２ｂの端子Ｔ１７に現れる電圧を示す測定結果情報が記憶される。又、第３の領域１２２ｃには、測定部１２１で測定が行われたときに計時部１２５で計時された時刻を示す測定時刻情報が記憶される。
【００８９】
制御部１２４は、親局模擬装置５のビット表５０５のうち何れかのビットがカーソル５０４によって選択されたか否かを判断する（ステップＳ１４）。制御部１２４は、判定部１２３の判定結果に基づいて、以下の制御を行う。
【００９０】
例えば、親局模擬装置５のデータ列５０６ａの最下位ビットから３ビット目のビットにカーソル５０４を合わせた状態で選択キー５０７が押下されている場合、第２の領域１２２ｂには、端子群２２ａの端子Ｔ１７に例えば４５Ｖが現れ、端子群２２ｂの端子Ｔ１７に例えば略０Ｖが現れたことを示す測定結果情報が記憶されている。判定部１２３は、第２の領域１２２ｂに記憶された測定結果情報と第４の領域１２２ｄに記憶された選択閾値電圧とに基づいて、端子群２２ａの端子Ｔ１７に現れる電圧は、選択閾値電圧以上であると判定する（ステップＳ１４のＹＥＳ）。制御部１２４は、上記ステップＳ４の制御を再度実行した後にステップＳ５の判断を再度実行する。
【００９１】
例えば、親局模擬装置５の選択キー５０７が押下されていない場合、第２の領域１２２ｂには、端子群２２ａ、２２ｂの端子Ｔ１７に例えば略０Ｖが現れたことを示す測定結果情報が記憶されている。判定部１２３は、第２の領域１２２ｂに記憶された測定結果情報と第４の領域１２２ｄに記憶された選択閾値電圧とに基づいて、端子群２２ａ、２２ｂの端子Ｔ１７に現れる電圧は、選択閾値電圧以上でないと判定する（ステップＳ１４のＮＯ）。制御部１２４は、ビットＬＥＤ１４、多重出力ＬＥＤ１０１、選択中ＬＥＤ１０２、切ＬＥＤ１０４、入ＬＥＤ１０５は消灯し、ビット情報欄１３、切信号表示欄１０６、入信号表示欄１０７、継続時間表示欄１０８の表示を消去する（ステップＳ１６）。制御部１２４は、上記ステップＳ１の制御を再度実行した後にステップＳ２の判断を再度実行する。
【００９２】
前述したように、遠隔監視制御装置２の端子台２２に設けられた複数の端子から出力される制御電圧を確認するとき、端子台２２にアダプタ１２が装着される。制御電圧確認装置１は、アダプタ１２を通して、端子台２２の複数の端子に現れる制御電圧を検出する。制御電圧確認装置１は、検出した制御電圧の検出結果を、制御電圧確認装置１の前面に設けられた例えばビット情報欄１３、ビットＬＥＤ１４、多重出力ＬＥＤ１０１等に表示する。よって、端子台２２の複数の端子に現れる電圧を検出するために、端子毎に例えば電圧計を接続する作業が不要となる。従って、遠隔監視制御装置の制御電圧が出力されていることを確認する作業の作業性を向上させることができる。
【００９３】
又、制御電圧確認装置１の前面には、例えば、ビットＬＥＤ１４、切ＬＥＤ１０４、入ＬＥＤ１０５（以下、複数のＬＥＤという）が設けられる。ビットＬＥＤ１４、切ＬＥＤ１０４、入ＬＥＤ１０５は、遠隔監視制御装置２の端子台２２に設けられた複数の端子のうち、制御電圧が出力された端子に対応して例えば点灯する。よって、複数のＬＥＤのうち何れのＬＥＤが点灯しているかを確認することによって、端子台２２の複数の端子うち何れの端子から制御電圧が出力されているかを確認することができる。従って、例えば作業員が、端子台２２の複数の端子のうち何れの端子から制御電圧が出力されているかを制御電圧確認装置１の前面の表示によって確認するときの確認ミスを防止することができる。
【００９４】
又、制御電圧確認装置１には、端子台２２の複数の端子のうち、何れの端子から制御電圧が出力されたかを音声によって出力するスピーカ１０９が設けられる。よって、端子台２２に設けられた複数の端子から出力される制御電圧を確認するとき、制御電圧確認装置１の前面の表示を確認せずに、スピーカ１０９から出力される音声を確認することによって、何れの端子から制御電圧が出力されたかを確認できる。よって、遠隔監視制御装置２から制御電圧を出力するための制御命令を遠隔監視制御装置２に送信する親局模擬装置５を操作する作業員が、遠隔監視制御装置２の端子台２２に設けられた複数の端子から出力される制御電圧を確認する作業も兼務できる。従って、遠隔監視制御装置２の端子台２２に設けられた複数の端子から出力される制御電圧を確認する作業の作業員を削減できるので、当該作業の作業性を向上させることができる。
【００９５】
[その他の実施形態]
第１実施形態においては、制御電圧確認装置１の前面にビットＬＥＤ１４、切ＬＥＤ１０４、入ＬＥＤ１０５が設けられた場合について説明したが、これに限定されるものではない。例えば、ＬＥＤではなく、複数の色（例えば青色と赤色）のうち何れかの色を発光するランプを用いて、アダプタ１２が装着された端子台の複数の端子のうち、何れの端子から制御電圧が出力されるかを表示してもよい。ビットＬＥＤ１４、切ＬＥＤ１０４、入ＬＥＤ１０５に夫々相当するビットランプ、切ランプ、入ランプを制御電圧確認装置１の前面に設けてもよい。尚、ビットランプ、切ランプ、入ランプが、本実施形態の発光素子に相当する。例えば、制御部１２４は、ビットランプ、切ランプ、入ランプを青色又は赤色で発光させる。例えば、２つ以上の端子から制御電圧が出力されている場合、制御部１２４は、制御電圧が出力されている端子を示すビットランプ、切ランプ、入ランプを例えば赤色で発光させる。例えば、１つの端子から制御電圧が出力されている場合、制御部１２４は、制御電圧が出力されている端子を示すビットランプ、切ランプ、入ランプを例えば青色で発光させる。よって、発光しているランプの色を確認するのみで、例えば、制御電圧が出力されている端子が１つなのか、又は２つ以上なのか、を確認することができる。従って、遠隔監視制御装置の制御電圧が出力されていることを確認する作業の作業性を向上させることができる。
【００９６】
尚、第１及びその他の実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００９７】
１      制御電圧確認装置
１ａ    開閉器
２      遠隔監視制御装置
３、４、４ａ    モデム
５      親局模擬装置
５ａ    親局装置
１０、２１    本体
１１    測定ケーブル
１１ａ  制御線
１２    アダプタ
１３    ビット情報欄
１４    ビットＬＥＤ
２２、２３    端子台
２２ａ、２２ｂ、２３ａ、２３ｂ    端子群
５１    表示パネル
５２    選択制御表示欄
１０１  多重出力ＬＥＤ
１０２  選択中ＬＥＤ
１０４  切ＬＥＤ
１０５  入ＬＥＤ
１０６  切信号表示欄
１０７  入信号表示欄
１０８  継続時間表示欄
１０９  スピーカ
１２１  測定部
１２２  記憶部
１２３  判定部
１２４  制御部
１２５  計時部
５０１  選択状態表示欄
５０２  ワード情報
５０３  位置情報
５０４  カーソル
５０５  ビット表
５０６ａ、５０６ｂ、５０６ｃ、５０６ｄ  データ列
５０７  選択キー
５０８  入キー
５０９  切キー
５１０  選択解除キー
Ｔ１、Ｔ２、Ｔ３、Ｔ４、Ｔ５、Ｔ６、Ｔ７、Ｔ８、Ｔ９、Ｔ１０、Ｔ１１、Ｔ１２、Ｔ１３、Ｔ１４、Ｔ１５、Ｔ１６、Ｔ１７  端子
【図１】
2012191527.tif 000003
【図２】
2012191527.tif 000004
【図３】
2012191527.tif 000005
【図４】
2012191527.tif 000006
【図５】
2012191527.tif 000007
【図６】
2012191527.tif 000008
【図７】
2012191527.tif 000009
【図８】
2012191527.tif 000010
【図９】
2012191527.tif 000011